(57)【要約】【課題】モニタが動画像を表示するときのフレーム速度より速いフレーム速度で、撮像素子が被写体を撮像することにより得られた画像信号に基づいて、モニタに動画像を表示する。【解決手段】モニタ１１が動画像を表示するときのフレーム数より速いフレーム数で、ＣＣＤ３が連続して被写体を撮像することにより画像信号を生成する。生成された画像信号は、メモリ７に記憶される。動画像を表示するときには、出力制御部６が、画像処理部５又は圧縮伸張部９から供給された所定のフレーム数の画像信号を加算することにより代表画像信号を生成して、モニタ１１に出力する。また、静止画像を表示するときには、出力制御部６が、画像処理部５又は圧縮伸張部９から供給された画像信号を、そのままモニタ１１に出力する。【選択図】  図１
2005012695.tif 000002
【特許請求の範囲】
【請求項１】
所定のフレーム速度で動画像を表示するモニタに、画像信号を出力する撮像装置において、
被写体を撮像して、上記所定のフレーム速度よりも速いフレーム速度で画像信号を生成する撮像素子と、
上記撮像素子によって生成された画像信号を記憶する記憶手段と、
上記記憶手段に記憶されている画像信号を読み出す画像信号読み出し手段と、
上記撮像素子で生成された画像信号又は上記記憶手段から読み出された画像信号の、上記モニタへの出力を制御する画像信号出力制御手段とを備え、
上記画像信号出力制御手段は、上記モニタに動画像を表示させるときには、上記撮像素子が生成した所定のフレーム数の画像信号、又は上記画像信号読み出し手段によって上記記憶手段から読み出された上記所定のフレーム数の画像信号が供給され、供給された上記所定のフレーム数の画像信号に基づいて、１フレームの画像信号である代表画像信号を、上記所定のフレーム速度で、上記モニタに対して出力するように制御し、
上記モニタに静止画像を表示させるときには、上記画像信号読み出し手段によって上記記憶手段から読み出された画像信号が供給され、供給された画像信号を、上記モニタに対して出力するように制御すること
を特徴とする撮像装置。
【請求項２】
上記モニタに表示された画像を選択する画像選択手段を備え、
上記画像信号出力制御手段は、上記代表画像信号を、上記所定のフレーム速度で、上記モニタに対して出力するように制御し、
上記画像選択手段は、上記モニタに対して出力されている上記代表画像に基づいて、上記モニタに表示されている代表画像からいずれか１つを選択し、
上記画像読み出し手段は、上記画像選択手段によって選択された代表画像に対応する上記所定のフレーム数からなる関連画像信号群を、上記記憶手段から読み出し、
上記画像信号出力制御手段は、上記関連画像信号群を、上記モニタに対して出力するように制御すること
を特徴とする請求項１記載の撮像装置。
【請求項３】
上記画像信号出力制御手段は、上記所定のフレーム数の画像信号を加算することにより上記代表画像信号を生成し、上記所定のフレーム速度で、上記モニタに対して出力するように制御すること
を特徴とする請求項１記載の撮像装置。
【請求項４】
上記画像信号出力制御手段は、上記撮像素子から出力された画像信号又は上記記憶手段から読み出された画像信号を、上記所定のフレームレートとなるように、上記所定のフレーム数毎に上記モニタに出力することによって、上記所定のフレーム数の画像信号のうち１フレームの画像信号を、代表画像信号として出力すること
を特徴とする請求項１記載の撮像装置。
【請求項５】
上記関連画像群はサムネイル画像群であり、
上記モニタは、上記サムネイル画像群が並べられた画像を表示し、
上記画像選択手段は、上記サムネイル画像群の中から所望のサムネイル画像を選択することにより、所望の静止画像を選択すること
を特徴とする請求項２記載の撮像装置。
【請求項６】
モニタが動画像を表示するときの所定のフレーム速度よりも速いフレーム速度で被写体を撮像して画像信号を生成する撮像素子と、上記撮像素子から出力された画像信号を記憶する記憶手段とを備える撮像装置に適用される画像検索方法であって、
上記記憶手段から、所定のフレーム数の画像信号を読み出す第１の画像信号読み出しステップと、
上記第１の画像信号読み出しステップで読み出された上記所定のフレーム数の画像信号に基づいて、１フレームの画像信号である代表画像信号を、上記所定のフレーム速度で出力する代表画像信号出力ステップと、
上記代表画像信号に基づいて生成された代表画像を、上記所定のフレーム速度で上記モニタに表示することにより、上記モニタに動画像を表示する動画像表示ステップと、
上記動画像表示ステップで上記モニタに表示された代表画像からいずれか１つを選択する代表画像選択ステップと、
上記代表画像選択ステップで選択された代表画像の元となる代表画像信号に対応する所定のフレーム数からなる関連画像信号群を、上記記憶手段から読み出す第２の画像信号読み出しステップと、
上記モニタに、上記第２の画像信号読み出しステップで読み出された関連画像信号群に基づいて生成した関連画像群を表示する関連画像群表示ステップと、
上記関連画像群の中から所望の関連画像を選択する関連画像選択ステップとを備えること
を特徴とする画像検索方法。
【請求項７】
上記代表画像信号出力ステップでは、上記記憶手段から読み出された上記所定のフレーム数の画像信号を加算することにより、上記代表画像信号を生成して、上記所定のフレーム速度で出力すること
を特徴とする請求項６記載の画像検索方法。
【請求項８】
上記代表画像信号出力ステップでは、上記記憶手段から読み出された画像信号を、上記所定のフレーム速度となるように、上記所定のフレーム数毎に出力することにより、上記関連画像信号のうち１フレームの画像信号を代表画像信号として出力すること
を特徴とする請求項６記載の画像検索方法。
【請求項９】
上記関連画像群は、サムネイル画像群であり、
上記関連画像表示ステップでは、上記サムネイル画像群が並べられた画像を、上記モニタに表示し、
上記静止画像選択ステップでは、上記サムネイル画像群の中から所望のサムネイル画像を選択することにより、所望の静止画像を選択すること
を特徴とする請求項６記載の画像検索方法。
【発明の詳細な説明】
【０００１】
【発明の属する技術分野】
本発明は、モニタに対して表示される動画像を見ながら所望の静止画像を検索可能な撮像装置、及び当該撮像装置に適用して好適な画像検索方法に関する。
【０００２】
【従来の技術】
近年、例えばデジタルカメラなどの静止画像を撮像する撮像装置に、所謂ムービングＪＰＥＧ（Ｊｏｉｎｔ  Ｐｈｏｔｏｇｒａｐｈｉｃ  Ｅｘｐｅｒｔ  Ｇｒｏｕｐ）方式で動画像を表示する機能が搭載されている。ムービングＪＰＥＧ方式では、先ず、例えば３０ｆｐｓ（ｆｒａｍｅ  ｐｅｒ  ｓｅｃｏｎｄｓ）など、モニタが動画像を表示するときのフレーム速度と同じフレーム速度で、撮像素子が連続して被写体を撮像することによって得られた画像信号を、それぞれＪＰＥＧ方式で圧縮してメモリに記憶する。そして、再生するときに、メモリから読み出して伸張した画像を、モニタが動画像を表示するときのフレーム速度で出力することにより、動画像を表示する（例えば、非特許文献１参照。）。
【０００３】
また、この機能を備えた撮像装置では、モニタに動画像を表示して、所望の画像がモニタに表示されたときに動画像表示を停止し、例えば操作部に備えられた画像選択ボタンを押圧することによって、所望の静止画像を選択することができる。そして、ユーザは、選択した静止画像に対して、プリントアウトや加工などの処理を実行することが可能となる。
【０００４】
【非特許文献１】
富士フィルム株式会社、“デジタルカメラ「ＦｉｎｅＰｉｘ  Ｍ６０３」”、［ｏｎ  ｌｉｎｅ］、平成１４年１０月８日、［平成１５年５月７日検索］、インターネット＜ＵＲＬ：ｈｔｔｐ：／／ｗｗｗ．ｆｕｊｉｆｉｌｍ．ｃｏ．ｊｐ／ｎｅｗｓ＿ｒ／ｎｒｊ９７９．ｈｔｍｌ＞
【０００５】
【発明が解決しようとする課題】
ところで、モニタが動画像を表示するときのフレーム速度は、３０〜６０ｆｐｓ程度とされている。しかし、３０〜６０ｆｐｓで、撮像素子が連続して被写体を撮像して画像信号を生成したときには、例えば被写体がゴルフのスイングをしているなど、被写体の動きが速いと、図８に示すように、生成される静止画像にぶれが生じ、所望とする瞬間が映し出されている静止画像を得ることが困難となる場合がある。すなわち、モニタが動画像を表示するときのフレーム速度と同じフレーム速度で撮像素子が連続して被写体を撮像するときには、被写体の動きが速いと、生成される静止画像の画質が低下してしまう。
【０００６】
一方、例えば３００ｆｐｓなどの速いフレーム速度で、撮像素子が連続して被写体を撮像して画像信号を生成すると、被写体の動きが速い場合にも、画像信号から生成される画像に生じるぶれは緩和される。したがって、撮像素子が速いフレーム速度で連続して被写体を撮像して画像信号を生成することにより、ぶれが少なく高画質な静止画像を得ることが可能となり、所望とする瞬間が表示されている静止画像を得ることが容易となる。
【０００７】
しかしながら、現行のモニタの大部分は、動画像を表示するときのフレーム速度が３０ｆｐｓ〜６０ｆｐｓとされているために、撮像素子が３００ｆｐｓなどの速いフレーム速度で連続して被写体を撮像して得られた画像信号を使用して、モニタに３００ｆｐｓで動画像を表示することは困難となる。
【０００８】
したがって、撮像素子が速いフレーム速度で連続して被写体を撮像することによって画像信号を生成するときには、生成された画像信号に基づいて高画質な静止画像を得ることは可能になるものの、得られた画像を撮像素子が撮像したフレーム速度でモニタに表示することは困難となる。すなわち、ユーザは、動画像を見ながら所望の静止画像を選択することが困難となるために、静止画像の選択を行うときに煩雑な作業を行う必要が生じる虞がある。
【０００９】
本発明は、以上説明した従来の実情を鑑みて提案されたものであり、モニタが動画像を表示するときのフレーム速度よりも速いフレーム速度で、撮像素子が連続して被写体を撮像することにより、モニタに対してぶれの少ない高画質な静止画像を表示することが可能であり、且つ動画像を表示することも可能な撮像装置、及び当該撮像装置に適用して好適な画像検索方法を提供することを目的とする。
【００１０】
【課題を解決するための手段】
本発明に係る撮像装置は、所定のフレーム速度で動画像を表示するモニタに、画像信号を出力する撮像装置において、被写体を撮像して、上記所定のフレーム速度よりも速いフレーム速度で画像信号を生成する撮像素子と、上記撮像素子によって生成された画像信号を記憶する記憶手段と、上記記憶手段に記憶されている画像信号を読み出す画像信号読み出し手段と、上記撮像素子で生成された画像信号又は上記記憶手段から読み出された画像信号の、上記モニタへの出力を制御する画像信号出力制御手段とを備え、上記画像信号出力制御手段は、上記モニタに動画像を表示させるときには、上記撮像素子が生成した所定のフレーム数の画像信号、又は上記画像信号読み出し手段によって上記記憶手段から読み出された上記所定のフレーム数の画像信号が供給され、供給された上記所定のフレーム数の画像信号に基づいて、１フレームの画像信号である代表画像信号を、上記所定のフレーム速度で、上記モニタに対して出力するように制御し、上記モニタに静止画像を表示させるときには、上記画像信号読み出し手段によって上記記憶手段から読み出された画像信号が供給され、供給された画像信号を、上記モニタに対して出力するように制御することを特徴とする。
【００１１】
また、本発明に係る画像検索方法は、モニタが動画像を表示するときの所定のフレーム速度よりも速いフレーム速度で被写体を撮像して画像信号を生成する撮像素子と、上記撮像素子から出力された画像信号を記憶する記憶手段とを備える撮像装置に適用される画像検索方法であって、上記記憶手段から、所定のフレーム数の画像信号を読み出す第１の画像信号読み出しステップと、上記第１の画像信号読み出しステップで読み出された上記所定のフレーム数の画像信号に基づいて、１フレームの画像信号である代表画像信号を、上記所定のフレーム速度で出力する代表画像信号出力ステップと、上記代表画像信号に基づいて生成された代表画像を、上記所定のフレーム速度で上記モニタに表示することにより、上記モニタに動画像を表示する動画像表示ステップと、上記動画像表示ステップで上記モニタに表示された代表画像からいずれか１つを選択する代表画像選択ステップと、上記代表画像選択ステップで選択された代表画像の元となる代表画像信号に対応する所定のフレーム数からなる関連画像信号群を、上記記憶手段から読み出す第２の画像信号読み出しステップと、上記モニタに、上記第２の画像信号読み出しステップで読み出された関連画像信号群に基づいて生成した関連画像群を表示する関連画像群表示ステップと、上記関連画像群の中から所望の関連画像を選択する関連画像選択ステップとを備えることを特徴とする。
【００１２】
【発明の実施の形態】
以下、本発明の実施の形態について、図面を参照しながら詳細に説明する。
【００１３】
図１に示すように、本発明を適用した撮像装置１は、光学系２と、光学系２から出射された光を受光して画像信号を生成するＣＣＤ（Ｃｈａｒｇｅ  Ｃｏｕｐｌｅｄ  Ｄｅｖｉｃｅ）３と、ＣＣＤ３から出力された画像信号をアナログ信号からデジタル信号に変換するアナログ／デジタル（以下、Ａ／Ｄという。）変換部４と、Ａ／Ｄ変換部４から供給された画像信号に対して所定の処理を施す画像信号処理部５と、画像信号処理部５によって所定の処理が施された画像信号の出力を制御する出力制御部６とを備える。
【００１４】
また、撮像装置１は、画像信号を記憶するメモリ７と、メモリ７に対する画像信号の書き込み及び読み出しを制御するメモリコントローラ８と、出力制御部６から供給される画像信号を圧縮処理してメモリコントローラ８に供給する、或いはメモリコントローラ８によってメモリ７から読み出された画像信号を伸張処理して出力制御部６に供給する圧縮伸張部９とを備える。
【００１５】
また、撮像装置１は、出力制御部６から供給された画像信号に基づいて画像を表示するモニタ１１と、出力制御部６から供給された画像信号をＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）方式の画像信号に変換するＮＴＳＣ処理部１２と、ＣＣＤ３が画像信号を出力するタイミングを制御するタイミングジェネレータ１４と、各部を制御する制御部１５と、ユーザが操作することによって制御部１５に信号を供給する操作部１６とを備える。
【００１６】
光学系２は、ＣＣＤ３の受光面に被写体の光学像を結像させる。また、光学系２は、ＣＣＤ３の受光面に結像される光学像の明るさや、大きさなどを制御する。光学系２は、例えば、光学像の大きさを制御するズームレンズ、光学像の焦点を制御するフォーカスレンズ、光学像の明るさを制御する絞りなどを備える。
【００１７】
ＣＣＤ３は、撮像素子であり、受光面に結像した光学像を画像信号に変換して出力する。ＣＣＤ３は、タイミングジェネレータ１４によって制御されるフレーム速度で、画像信号を出力する。なお、フレーム速度は、１秒当たりのフレーム数を示す。通常の撮像装置では、ＣＣＤは、モニタが動画像を表示するときのフレーム速度と同じ３０〜６０ｆｐｓ（ｆｒａｍｅ  ｐｅｒ  ｓｅｃｏｎｄｓ）で画像信号を出力するが、撮像装置１では、ＣＣＤ３は、タイミングジェネレータ１４によって制御されるフレーム速度に従って、モニタが動画像を表示するときのフレーム速度よりも速いフレーム速度で画像信号を出力する。本実施の形態では、ＣＣＤ３は、３００ｆｐｓで画像信号を出力する。したがって、ＣＣＤ３から出力された画像信号に基づいて生成した静止画像は、被写体の動きが速い場合にも、ぶれが少なく高画質となる。
【００１８】
画像信号処理部５は、制御部１５による制御に基づいて、Ａ／Ｄ変換部４にから供給された画像信号に対して、ガンマ補正やコントラスト補正などの処理を施す。画像信号処理部５によって処理された画像信号は、出力制御部６に供給される。
【００１９】
出力制御部６は、制御部１５による制御に基づき、被写体の撮像時には、画像信号処理部５から供給された所定の数の画像信号に基づいて１フレームの画像信号である代表画像信号を生成して、モニタ１１とＮＴＳＣ処理部１２とに出力する。また、メモリ７に記憶されている画像信号に基づいてモニタ１１に動画像を表示するときには、圧縮伸張部９から供給された所定の数の画像信号に基づいて１フレームの画像信号である代表画像信号を生成して、モニタ１１とＮＴＳＣ処理部１２とに出力する。また、メモリ７に記憶されている画像信号に基づいてモニタ１１に静止画像を表示するときには、圧縮伸張部９から供給された画像信号を、モニタ１１とＮＴＳＣ処理部１２とに出力する。なお、出力制御部６については詳細を後述する。
【００２０】
メモリコントローラ８は、制御部１５による制御に基づいて、メモリ７に対して圧縮伸張部９で圧縮された画像信号を記録するとともに、メモリ７に記憶されている画像信号を読み出して圧縮伸張部９に供給する。
【００２１】
圧縮伸張部９は、画像信号処理部５から供給された画像信号に対して圧縮処理を施す。圧縮処理された画像信号は、メモリコントローラ８によってメモリ７に記録される。また、圧縮伸張部９は、メモリコントローラ８によってメモリ７から読み出された画像信号に対して伸張処理を施す。伸張処理された画像信号は、出力制御部６に供給される。本実施の形態では、圧縮伸張部９は、ムービングＪＰＥＧ（Ｊｏｉｎｔ  Ｐｈｏｔｏｇｒａｐｈｉｃ  Ｅｘｐｅｒｔ  Ｇｒｏｕｐ）方式に従って、画像信号の圧縮や伸張を行っている。
【００２２】
モニタ１１は、出力制御部６から供給された画像信号に基づいて、画像を表示する。モニタ１１は、所定のフレーム速度で静止画像を表示することで、動画像を表示する。本実施の形態では、モニタ１１は、３０ｆｐｓで静止画像を表示することにより、動画像を表示する。モニタ１１としては、例えば液晶モニタを使用することができる。
【００２３】
ＮＴＳＣ処理部１２は、出力制御部６から供給された画像信号をＮＴＳＣ方式の画像信号に変換して出力する。ＮＴＳＣ処理部１２から出力された画像信号は、出力端子１８を介して、例えばテレビジョンなどの外部機器に出力される。
【００２４】
タイミングジェネレータ１４は、制御部１５による制御に基づいて、ＣＣＤ３から画像信号を出力させる。
【００２５】
操作部１６は、ボタンや所謂ジョグダイヤルなどを備えており、ユーザが操作することにより、制御部１５に信号が送信され、撮像装置１の動作が決定される。ユーザは、操作部１６を操作することにより、撮像を開始することや、画像を所定のフレーム速度でモニタ１１に表示すること、所望の画像がモニタ１１に表示されたときに動画像の表示を停止すること、動画像の表示を停止した後に画像を１フレームずつ進めたり戻したりすること（以下、コマ送りという。）などを実行できる。また、ユーザは、所望の画像がモニタ１１に表示されたときに、例えばジョグダイヤルを押圧するなど、操作部１６を操作することにより、モニタ１１に表示された所望の画像を選択する。
【００２６】
つぎに、出力制御部６について詳細に説明する。
【００２７】
被写体の撮像時や、メモリ７に記憶されている画像信号に基づいてモニタ１１に動画像を表示するときには、出力制御部６は、画像信号処理部５又は圧縮伸張部９から供給される画像信号を、所定のフレーム数の画像信号が蓄積されるまで一時的に記憶する。なお、被写体の撮像時には、画像信号処理部５から供給される画像信号を、圧縮伸張部９へ供給する。
【００２８】
出力制御部６に一時的に記憶される画像信号のフレーム数Ｆは、以下の式１で表されるフレーム数に相当する。
【００２９】
Ｆ＝（ＣＣＤが画像信号を出力するときのフレーム速度）／（モニタが動画像を表示するときのフレーム速度）…式１
そして、出力制御部６は、所定のフレーム数Ｆの画像信号が蓄積されると、各画像信号に所定の係数を乗算してから各画像信号を加算することによって１フレームの画像信号（以下、代表画像信号という。）を生成し、モニタ１１及びＮＴＳＣ処理部１２に出力する。
【００３０】
本実施の形態では、出力制御部６には、画像信号処理部５又は圧縮伸張部９から３００ｆｐｓで画像信号が供給される。そして、出力制御部６は、１０フレームの画像信号から代表画像信号を生成し、３０ｆｐｓで出力する。
【００３１】
また、静止画像を表示するときには、出力制御部６は、画像信号処理部５又は圧縮伸張部９から供給される画像信号を、制御部１５による制御に従って、そのままモニタ１１及びＮＴＳＣ処理部１２に出力する。
【００３２】
図２に示すように、出力制御部６は、第１のフレームメモリ２０と、第１〜第９の遅延回路２１〜２９と、フィルタ３０と、第２のフレームメモリ３１とを備える。
【００３３】
第１のフレームメモリ２０は、撮像時には、画像信号処理部５から供給される画像信号を一時的に記憶した後に、圧縮処理部９と、第１の遅延回路２１又はフィルタ３０とに供給する。また、メモリ７に記憶されている画像信号に基づいてモニタ１１に動画像を表示するときには、圧縮伸張部９から供給される画像信号を一時的に記憶した後に、第１の遅延回路２１又はフィルタ３０に供給する。また、静止画像を表示するときには、圧縮伸張部９から供給される画像信号を、制御部１５による制御に基づいて、モニタ１１に供給する。なお、本実施の形態では、撮像時には、画像信号処理部５から３００ｆｐｓで画像信号が供給され、メモリ７に記憶されている画像信号に基づいてモニタ１１に動画像又は静止画像を表示するときには、圧縮伸張部９から３００ｆｐｓで画像信号が供給される。
【００３４】
第１の遅延回路２１は、動画像を表示するときには、第１のフレームメモリ２０から画像信号が供給され、供給された画像信号を１フレーム分遅延させて、第２の遅延回路２２に供給する。本実施の形態では、１／３００秒遅延させる。第２の遅延回路２２は、第１の遅延回路２１から供給された画像信号を、更に１フレーム分遅延させて第３の遅延回路２３に出力する。以後、第３〜第８の遅延回路２３〜２８は、前段に備えられた遅延回路から供給された画像信号を、１フレーム分遅延させて後段に備えられた遅延回路に供給する。
【００３５】
第９の遅延回路２９に画像信号が供給されると、すなわち第１のフレームメモリ２０及び第１〜第９の遅延回路２１〜２９の全てに画像信号が記憶されると、第１のフレームメモリ２０及び第１〜第９の遅延回路２１〜２９は、一時的に記憶されている画像信号を、後段に備えられている遅延回路には供給せずに、フィルタ３０に供給する。
【００３６】
なお、コマ送りの実行時には、第１のフレームメモリ２０は、圧縮伸張部９から供給される信号を、制御部１５の制御に従って第１の遅延回路２１に供給する。また、第１の遅延回路２１は、第１のフレームメモリ２０から供給された画像信号を、制御部１５の制御に従って遅延させて第２の遅延回路２２に供給する。以後、第２〜第８の遅延回路２２〜２８は、前段に備えられた遅延回路から供給された画像信号を、制御部１５の制御に従って遅延させて後段に備えられた遅延回路に供給する。そして、第９の遅延回路２９に画像信号が供給されると、第１のフレームメモリ２０及び第１〜第９の遅延回路２１〜２９は、一時的に記憶されている画像信号を、後段に備えられている遅延回路には供給せずに、フィルタ３０に供給する。
【００３７】
フィルタ３０は、第１のフレームメモリ２０及び第１〜第９の遅延回路２１〜２９から供給された１０フレームの画像信号を、それぞれ所定の係数を乗算した後に加算することによって代表画像信号を生成し、第２のフレームメモリ３１に供給する。
【００３８】
第２のフレームメモリ３１は、フィルタ３０から画像信号が供給されるとともに、モニタ１１に動画像を表示するときのフレーム速度と同じ速度で、クロックが供給される。本実施の形態では、１／３０秒毎にクロックが供給される。第２のフレームメモリ３１は、フィルタ３０から供給された代表画像信号を、モニタ１１及びＮＴＳＣ処理部１２に対して、クロックが供給されたタイミングで供給する。すなわち、第２のフレームメモリ３１は、フィルタ３０から供給された代表画像信号を、モニタ１１及びＮＴＳＣ処理部１２に対して、３０ｆｐｓで供給する。なお、コマ送りの実行時には、クロックは供給されない。
【００３９】
なお、第１のフレームメモリ２０及び第１〜第９の遅延回路２１〜２９では、フィルタ３０に対して画像信号を供給した後に、一時的に記憶されている画像信号が消去される。
【００４０】
出力制御部６が以上説明した構成とされることにより、撮像装置１では、モニタ１１が動画像を表示するときのフレーム速度より速いフレーム速度で、ＣＣＤ３が被写体を撮像して画像信号を生成したときにも、モニタ１１に対してモニタ１１が動画像を表示するときのフレーム速度で代表画像信号を供給することが可能となり、モニタ１１に動画像を表示することが可能となる。
【００４１】
つぎに、ユーザが、撮像装置１で、モニタ１１に表示された動画像を見ながら所望の静止画像を選択する方法について、図３に示すフローチャートを用いて説明する。以下では、図４に示す画像を連続表示することにより、モニタ１１に動画像を表示して、ゴルフクラブにボールが当たる瞬間を示す静止画像を検索する方法について説明する。また、ＣＣＤ３が画像信号を生成するときのフレーム数を３００ｆｐｓ、モニタ１１が動画像を表示するときのフレーム数を３０ｆｐｓとして、具体的に説明する。
【００４２】
ステップＳＴ１において、撮像装置１は、モニタ１１に動画像を表示する。詳述すると、先ず、メモリコントローラ８がメモリ７に記憶されている画像信号を読み出して圧縮伸張部９に供給する。次に、圧縮伸張部９が、供給された画像信号を伸張して、３００ｆｐｓで出力制御部６に供給する。次に、出力制御部６が、連続して供給された１０フレームの関連画像信号から代表画像信号を生成して、３０ｆｐｓでモニタ１１に供給する。次に、モニタ１１が、代表画像信号に基づいた代表画像を、図４に示すように、３０ｆｐｓでモニタ１１に表示する。
【００４３】
次に、ステップＳＴ２において、撮像装置１は、所望の静止画像に近い代表画像をモニタ１１に静止画像として表示することにより、選択する。具体的に説明すると、ユーザが、所望の静止画像に近い代表画像が表示されたときに、操作部１６を操作することによって動画像を一時停止することにより、所望の静止画像に近い代表画像が、静止画像としてモニタ１１に表示される。本実施の形態では、図４中Ｅを選択した。なお、動画像を一時停止させるタイミングが合わないなどの理由により、所望の画像に近い代表画像とは異なる代表画像が静止画像としてモニタ１１に表示されたときには、コマ送りを実行することにより、所望の画像に近い代表画像を静止画像としてモニタ１１に表示する。
【００４４】
次に、ステップＳＴ３において、撮像装置１は、ステップＳＴ２で表示された代表画像を生成するときに使用した画像信号の読み出しを実行する。詳述すると、制御部１５の制御に基づいて、メモリコントローラ８が、メモリ７から、モニタ１１に表示されている代表画像を生成するために使用した代表画像信号を生成するときに、出力制御部６で使用された画像信号（以下、関連画像信号という。）を読み出して、圧縮伸張部９に供給する。
【００４５】
次に、ステップＳＴ４において、モニタ１１に、読み出された関連画像信号に基づいて生成した画像（以下、関連画像という。）を連続して表示する。詳述すると、圧縮伸張部９が供給された関連画像信号に対してそれぞれ伸張処理を施して、出力制御部６に供給する。出力制御部６では、供給された関連画像信号を、第１のフレームメモリ２０を介してモニタ１１とＮＴＳＣ処理部１２とに順次供給する。そして、モニタ１１は、出力制御部６から供給された関連画像信号に基づいて、図５に示すように、関連画像を連続して表示する。
【００４６】
次に、ステップＳＴ５において、所望の関連画像をモニタ１１に静止画像として表示することにより、選択する。詳述すると、ユーザが、モニタ１１に所望の関連画像が表示されたときに、操作部１６を操作することによって関連画像の連続表示を停止することにより、所望の静止画像が選択される。本実施の形態では、図５中Ｅ５を選択した。ユーザは、選択した静止画像を、プリントアウトすること、或いは加工することが可能となる。
【００４７】
以上説明したように、本発明を適用した撮像装置１は、出力制御部６が、式１で示されるフレーム数の関連画像信号を加算することにより代表画像信号を生成する。そして、モニタ１１が代表画像信号に基づいた代表画像を、所定のフレーム速度で表示することによって、モニタ１１に動画像を表示する。
【００４８】
また、本発明を適用した撮像装置１は、代表画像を選択することにより、メモリコントローラ８が、メモリ７から代表画像の生成に使用された関連画像信号を読み出す。次に、モニタ１１に、関連画像信号に基づいた関連画像を連続して表示する。そして、モニタ１１に所望の画像が表示されたときにユーザが操作部１６を操作することによって、所望の画像が静止画像としてモニタ１１に表示される。
【００４９】
したがって、本発明を適用した撮像装置１では、モニタ１１に動画像を表示することが可能であり、且つぼけが少ない高画質な静止画像を表示することが可能となる。また、本発明を適用した撮像装置１では、所定のフレーム数Ｆの画像信号を加算することによって代表画像信号が生成されるために、モニタ１１に、高画質な動画像を表示することが可能となる。
【００５０】
また、本発明を適用した撮像装置１によれば、モニタ１１に表示された動画像を見ながら、モニタ１１が動画像を表示するときのフレーム速度よりも速いフレーム速度で生成された画像信号に基づいて生成された高画質な静止画像を検索することが可能となる。すなわち、本発明を適用した撮像装置１によれば、モニタ１１が動画像を表示するときのフレーム速度よりも速いフレーム速度で生成された画像信号に基づいて生成された高画質な静止画像を、容易に検索することが可能となる。
【００５１】
なお、ステップＳＴ４では、図６に示すように、出力制御部６が読み出された関連画像信号に基づいてサムネイル画像を生成し、生成した複数のサムネイル画像を１つの画面上に表示することにより、モニタ１１に、読み出された関連画像信号に基づいた関連画像を表示しても良い。このときには、ステップＳＴ５では、例えばユーザが操作部１６を操作することによって所望のサムネイル画像を選択することにより、所望の画像が選択される。そして、選択された画像が、静止画像としてモニタ１１に表示される。
【００５２】
なお、本発明を適用した撮像装置１には、出力制御部６の代わりに、図７に示す出力制御部５０を備えても良い。
【００５３】
出力制御部５０は、第１のフレームメモリ５１と、第２のフレームメモリ５２とを備える。
【００５４】
第１のフレームメモリ５１は、画像信号処理部５又は圧縮伸張部９から供給された画像信号を、一時的に記憶する。第１のフレームメモリ５１は、被写体の撮像時には、画像信号処理部５から供給される画像信号を、圧縮伸張部９と第２のフレームメモリ５２とに供給する。また、メモリ７に記憶されている画像信号に基づいてモニタ１１に動画像を表示するときには、圧縮伸張部９から供給される画像信号を、第２のフレームメモリ５２に供給する。また、所望の静止画像を選択するときには、画像信号処理部５から供給される画像信号を、制御部１５による制御に基づいて第２のフレームメモリ５２に供給する。なお、本実施の形態では、被写体の撮像時には、画像信号処理部５から３００ｆｐｓで画像信号が供給され、メモリ７に記憶されている画像信号に基づいてモニタ１１に動画像又は静止画像を表示するときには、圧縮伸張部９から３００ｆｐｓで画像信号が供給される。
【００５５】
第２のフレームメモリ５２は、第１のフレームメモリ５１から画像信号が供給されるとともに、モニタ１１に動画像を表示するときのフレーム速度と同じ速度で、クロックが供給される。本実施の形態では、１／３０秒毎にクロックが供給される。第２のフレームメモリ５２は、モニタ１１及びＮＴＳＣ処理部１２に対して、クロックが供給されるタイミングで第１のフレームメモリ５１から供給された画像信号を、出力する。本実施の形態では、モニタ１１に対して、第１のフレームメモリ５１から供給された画像信号を１０フレーム毎に出力することにより、３０ｆｐｓで代表画像信号を出力する。
【００５６】
出力制御部５０は、モニタ１１のフレーム速度よりも速いフレーム速度でＣＣＤ３が生成した画像信号に基づいて、モニタ１１に動画像を表示することを、簡易な構成で実現することが可能となる。したがって、出力制御部５０を備えることにより、撮像装置１は、簡易な構成で、モニタ１１に対する動画像の表示と、ぶれの少ない高画質な静止画像の表示とを実現することが可能となる。また、モニタ１１に動画像を表示するときのフレーム速度よりも速いフレーム速度でＣＣＤ３が生成した画像信号に基づいて生成された高画質な静止画像の検索を実現することが可能なものとなる。
【００５７】
【発明の効果】
本発明に係る撮像装置は、先ず、撮像素子が、モニタのフレーム速度よりも速いフレーム速度で連続して被写体を撮像し、画像信号を出力する。出力された画像信号は、記憶手段に記憶される。そして、動画像を表示するときには、画像信号出力制御手段が、撮像素子から出力された所定のフレーム数の画像信号又は記憶手段から読み出された所定のフレーム数の画像信号に基づいて、代表画像信号を出力し、モニタに供給する。また、静止画像を表示するときには、画像信号出力制御手段が、撮像素子が生成した画像信号又は記憶手段から読み出された画像信号を出力し、モニタに供給する。
【００５８】
したがって、本発明に係る撮像装置によれば、モニタに、動画像と、高画質でぶれが少ない静止画像とを表示することが可能となる。また、静止画像を表示するときには、モニタに対して、モニタが動画像を表示するときのフレーム速度よりも速いフレーム速度で生成された画像信号に基づいて生成された、ぶれが少ない高画質な静止画像を表示することが可能となる。
【００５９】
本発明に係る画像検索方法は、先ず、モニタが動画像を表示するときのフレーム速度よりも速いフレーム速度で、撮像素子が被写体を撮像する。撮像素子によって生成された画像信号は、記憶手段に記憶される。次に、記憶手段から所定のフレーム数の画像信号を読み出し、読み出した画像信号に対して所定の処理を施すことによって、１フレームの代表画像信号を出力する。次に、代表画像信号に基づいて生成された代表画像を、モニタが動画像を表示するときのフレーム速度でモニタに表示する。次に、ユーザは、モニタに表示された代表画像を選択する。代表画像が選択されると、選択された代表画像を生成するときに使用された関連画像信号が記憶手段から読み出され、モニタに、関連画像信号に基づいた関連画像が表示される。そして、ユーザは、関連画像の中から所望の画像を選択する。
【００６０】
したがって、本発明に係る画像検索方法によれば、ユーザは、モニタに表示された動画像を見ながら、モニタが動画像を表示するときのフレーム速度より速いフレーム速度で、撮像素子が被写体を撮像することによって得た画像信号に基づいて生成されたぶれが少ない高画質な静止画像を、検索することが可能となる。すなわち、本発明に係る画像検索方法によれば、モニタが動画像を表示するときのフレーム速度よりも速いフレーム速度で、撮像素子が被写体を連続して撮像することによって生成した画像信号に基づいて生成された高画質な静止画像を、モニタに表示される動画像を見ながら容易に検索することが可能となる。
【図面の簡単な説明】
【図１】本発明を適用した撮像装置を示すブロック図である。
【図２】同撮像装置に備えられる出力制御部の構成を説明するための図である。
【図３】同撮像装置で所望の静止画像を検索する方法を示すフローチャートである。
【図４】モニタに表示される代表画像の一例を示す図である。
【図５】関連画像の一例を示す図である。
【図６】関連画像信号からサムネイル画像を生成して、１つの画像として表示している状態を示す図である。
【図７】同撮像装置に備えられる他の出力制御部の構成を説明するための図である。
【図８】動きが速い被写体を３０ｆｐｓで撮像して得られた画像信号に基づいて生成された静止画像に、ぶれが生じている状態を示す図である。
【符号の説明】
１  撮像装置、２  光学系、３  ＣＣＤ、４  Ａ／Ｄ変換部、５  画像信号処理部、６  出力制御部、７  メモリ、８メモリコントローラ、９  圧縮伸張部、１１  モニタ、１２  ＮＴＳＣ処理部、１４  タイミングジェネレータ、１５  制御部、１６  操作部、１８  出力端子、２０  第１のフレームメモリ、２１〜２９  第１〜第９の遅延回路、３０  フィルタ、３１  第２のフレームメモリ、５０  出力制御部、５１  第１のフレームメモリ、５２  第２のフレームメモリ
【図１】
2005012695.tif 000003
【図２】
2005012695.tif 000004
【図３】
2005012695.tif 000005
【図４】
2005012695.tif 000006
【図５】
2005012695.tif 000007
【図６】
2005012695.tif 000008
【図７】
2005012695.tif 000009
【図８】
2005012695.tif 000010